(57)【要約】【課題】  使用され小さくなった固形石鹸を無駄なく使い切るため、新しい固形石鹸と一体として衛生的に使用できる収納部を備えた固形石鹸の提供。【解決手段】  固形石鹸１００は、２つの構成部材からなる本体１と、当該本体１の内部であって且つその中心が当該本体１の重心より外側方向に偏心した位置に設けられた凹部からなる収納部２と、前記２つの構成部材どうしが接する面上であって、片方の構成部材１１に配置される位置固定凹部４および他方の構成部材１２に配置される位置固定凸部３からなる位置固定凹凸部と、から構成される。【選択図】  図２
2020189904.tif 000002
【特許請求の範囲】
【請求項１】
互いの面どうしで接し得る２つの構成部材からなる本体と、
前記面の両方又は一方に形成された凹部により前記本体の内部に構成されると共にその中心が前記本体の重心より当該本体の外側方向に偏心している収納部と、
を有することを特徴とする固形石鹸。
【請求項２】
互いの面どうしで接し得る２つの構成部材からなる本体と、
前記面の両方又は一方に形成された凹部により前記本体の内部に構成されると共にその中心が前記本体の中心より当該本体の外側方向へずれている収納部と、
を有することを特徴とする固形石鹸。
【請求項３】
前記面の片方には凹部が、他方には凸部がそれぞれ設けられ、当該凹部および凸部は互いに篏合することを特徴とする請求項１又は２に記載の固形石鹸。
【請求項４】
前記２つの構成部材は、互いに異なる色であることを特徴とする請求項１乃至３に記載の固形石鹸。
【発明の詳細な説明】
【技術分野】
【０００１】
本発明は、使用され小さくなった固形石鹸等を収納するための収納部を内部に備えた固形石鹸に関するものである。
【背景技術】
【０００２】
従来、使用され小さくなった固形石鹸は、掴み難くなり、取扱いが困難になるため、最後まで使い切られずに廃棄されることが少なくなかった。また、合成樹脂製のネットに入れた状態で使用された場合においても、小さくなった固形石鹸は水に濡れて柔らかくなり、ネットの隙間から滑り出て、最後まで使い切ることが困難であった。
【０００３】
そこで、使い古して小さくなった石鹸を無駄なく使える技術として、下記の特許文献１に係る発明が知られている。当該特許文献１に記載の穴を開けた固形石鹸は、石鹸の内部に単数又は複数の穴を開け、その中に使い古した石鹸を収納し、新しい石鹸と共に使い古した石鹸を使用することで、無駄なく石鹸を使い切るというものである。
【先行技術文献】
【特許文献】
【０００４】
【特許文献１】特開平６−３０６３９９号公報
【発明の概要】
【発明が解決しようとする課題】
【０００５】
しかしながら、上記特許文献１に記載の穴を開けた固形石鹸は、使い古した石鹸を新しい石鹸の穴に入れる際、使い古した石鹸を適度な大きさに調整する必要があった。すなわち、空けられた穴の大きさに対して、使い古した石鹸が大きい場合には、穴の内部に使い古した石鹸を収納することができず、一方、小さい場合には、新しい石鹸を使用している際に、使い古した石鹸が抜け落ちてしまうという問題点があった。
【０００６】
また、上記のとおり、新しい石鹸に空けられた穴の大きさと、使い古した石鹸の大きさを一致させるには手間のかかる調整が必要である。そのため、調整が上手く行えずに新しい石鹸と使い古した石鹸との間に隙間が生じ、その隙間から水等が穴の内部に侵入して不衛生であるという問題点もあった。
本発明は、係る問題点に鑑みてなされたものである。
【課題を解決するための手段】
【０００７】
上記問題点を解決するために、本発明に係る固形石鹸は、互いの面どうしで接し得る２つの構成部材からなる本体と、前記面の両方又は一方に形成された凹部により前記本体の内部に構成されると共にその中心が前記本体の重心より当該本体の外側方向に偏心している収納部と、を有することを特徴とする。
【０００８】
また、本発明に係る固形石鹸は、互いの面どうしで接し得る２つの構成部材からなる本体と、  前記面の両方又は一方に形成された凹部により前記本体の内部に構成されると共にその中心が前記本体の中心より当該本体の外側方向へずれている収納部と、を有することを特徴とする。
【０００９】
また、上記発明において、本発明に係る固形石鹸は、前記面の片方には凹部が、他方には凸部がそれぞれ設けられ、当該凹部および凸部は互いに篏合することを特徴とする。
【００１０】
また、上記発明において、本発明に係る固形石鹸は、前記２つの構成部材は、互いに異なる色であることを特徴とする。
【図面の簡単な説明】
【００１１】
【図１】本発明の実施の形態１に係る固形石鹸の組立後の状態を示す斜視図である。
【図２】本発明の実施の形態１に係る固形石鹸の組立前の状態を示す斜視図である。
【図３】図１に示した固形石鹸の側面図である。
【図４】本発明の実施の形態１に係る固形石鹸の変形例を示す側面図である。
【図５】本発明の実施の形態１に係る固形石鹸の変形例を示す側面図である。
【図６】本発明の実施の形態２に係る固形石鹸２００の側面図である。
【発明を実施するための形態】
【００１２】
（実施の形態１）
図１は、本発明の実施の形態１に係る固形石鹸１００の組立後の状態を示す斜視図であり、図２は、その組立前の状態を示す斜視図である。図３は、図１に示した固形石鹸１００の側面図である。本発明の実施の形態１に係る固形石鹸１００は、２つの構成部材（構成部材１１および構成部材１２）からなる本体１と、当該本体１の内部であって且つその中心が当該本体１の重心より外側方向に偏心した位置に設けられた凹部からなる収納部２と、前記２つの構成部材どうしが接する面上であって、片方の構成部材１１に配置される位置固定凹部４および他方の構成部材１２に配置される位置固定凸部３からなる位置固定凹凸部と、から構成される。
【００１３】
また、異なる観点では、前記収納部２は、使い古した石鹸（使用により小さくなった石鹸）が再び使用により小さくなったときに残ってしまうことを防止するため、その中心が当該本体１の中心よりも外側方向にずれた位置に設けられるようにする。
【００１４】
前記本体１は、直方体であり、分割構造となる構成部材１１と構成部材１２とから構成される。当該構成部材１１は、構成部材１２と接する面上に後述する収納部２の一部を構成する凹部２１を備える。また、構成部材１２と接する面上に、４つの位置固定凹部４を備える。当該凹部４は、後述する位置固定凸部３と対応する形状であれば、半円形状以外にも四角形、三角形、鉤型形状等を採用でき、配置数は単数または複数を任意に選択可能である。また、前記構成部材１１の、前記構成部材１２と接する面上には数本の溝が備えられる（図示省略）。当該溝は、後述する構成部材１２に備えられる溝と同方向に配置される。また、前記構成部材１１は、その一部又は全部を構成部材１２と異なる色になるよう染色もしくは着色される。なお、染色もしくは着色を行わない場合には、後述する収納部２の位置がわかるよう目印を刻印等により施すようにしても良い（図示省略）。
【００１５】
構成部材１２は、構成部材１１と接する面上に、後述する収納部２の一部を構成する凹部２２を備える。また、構成部材１１と接する面上に、４つの位置固定凸部３を備える。当該凸部３は、位置固定凹部４と対応する形状であれば、半円形状以外にも四角形、三角形、鉤型形状等を採用でき、配置数は単数または複数を任意に選択可能である。また、前記構成部材１２の、前記構成部材１１と接する面上には数本の溝が備えられる（図示省略）。当該溝は、構成部材１１に備えられる溝と同方向に配置される。また、前記構成部材１２は、その一部又は全部を構成部材１１と異なる色になるよう染色もしくは着色される。なお、染色もしくは着色を行わない場合には、後述する収納部２の位置がわかるよう目印を刻印等により施すようにしても良い（図示省略）。
【００１６】
前記本体１の材質は、脂肪酸ナトリウムや脂肪酸カリウムを採用でき、任意に炭酸塩、ケイ酸塩、リン酸塩、キレート、グリセリン、天然油脂や各種香料、染料、ハーブ、ビタミン等の選択添加が可能である。図３乃至図５に示すとおり、前記本体１の形状は、直方体のほか、立方体、球状等を採用できる。
【００１７】
前記収納部２は、使用され小さくなった固形石鹸Ｕを収納するために設けられる凹部であって、前記凹部２１および前記凹部２２より構成される。また、図２及び図３に示すとおり、前記収納部２の中心は、前記本体１の重心より外側方向へ偏心した位置に設けられる。例えば、前記構成部材１１に設けた凹部２１が、前記構成部材１２に設けた凹部２２よりも容積が小さくなるように（凹部２２が深底になるように）構成されることにより、収納部２の中心の位置が、前記本体１の重心より外側方向へ偏心したものとなる。或いは、収納部２の中心の位置は、前記本体１の中心よりも外側方向へずれたものとなる。
【００１８】
また、本発明に係る収納部を備えた固形石鹸１００においては、図３に示すとおり、上下方向で下側へ偏心して収納部２が配置されているが、左右方向もしくは斜め方向へ偏心しての配置も採用可能である。また左右方向もしくは斜め方向へ偏心して収納部２を配置する場合には、前記凹部２１および前記凹部２２の大きさの比率は適宜調整して構成する。また、前記収納部２の形状は、前記本体１の形状の全体縮尺のみを小さくした同形状であることが好ましいが、収納部２と本体１の形状が異なる構成としてもよい（図示省略）。
【００１９】
次に、本発明に係る収納部を備えた固形石鹸１００の使用方法を説明する。まず、ユーザーは、前記本体１を構成部材１１および構成部材１２に分けて持ち、構成部材１２に備えられた収納部２である凹部２２へ使用され小さくなった固形石鹸Ｕを配置する。このとき、収納する当該固形石鹸Ｕの大きさは、その直径が、前記凹部２２の直径よりも小さければよく、収納部２の大きさと前記固形石鹸Ｕとの大きさを一致させるための手間のかかる調整は不要である。
【００２０】
次に、ユーザーは、構成部材１１および構成部材１２の接する面に少量の水分を塗布し、前記位置固定凹部４および位置固定凸部３が篏合するよう、構成部材１１および構成部材１２を合わせる。構成部材１１および構成部材１２の接する面に溝が備えられていること、及び、ユーザーが少量の水分を塗布して構成部材１１および構成部材１２を合わせることにより、前記水分が蒸発する過程で構成部材１１と構成部材１２がしっかりと接着される。最後に、ユーザーは、色もしくは目印に従い、前記収納部２が配置された側から固形石鹸１００を使用する。これにより、ユーザーは、新しい固形石鹸１００と小さくなった固形石鹸Ｕを、一つの固形石鹸として使用することができる。そして、固形石鹸１００が小さくなった後には、新たな固形石鹸１００の内部に小さくなった固形石鹸１００を収納して使用するという一連のサイクルに則って無駄なく固形石鹸１００を使用することができる。
【００２１】
本発明に係る収納部を備えた固形石鹸１００は、以下の効果を奏する。本発明に係る収納部を備えた固形石鹸１００によれば、使用され小さくなった固形石鹸Ｕを新しい固形石鹸１００と一体として使用することができるため、小さくなった固形石鹸Ｕを最後まで使い切ることが可能となる。また、小さくなった固形石鹸Ｕを収納する収納部２の中心が、本体１の重心より外側方向に偏心して設けられていること、又は、本体１の中心よりも外側方向へずれて設けられていることにより、ユーザーは小さくなった固形石鹸Ｕが収納されている側から固形石鹸１００を使用することができ、小さくなった固形石鹸Ｕが再び別の本体１の内部に収納されて使い続けられることを防止できる。更に、構成部材１１又は構成部材１２が色分けされていること、又は、収納部２の位置が刻印等されていることにより、ユーザーは、小さくなった固形石鹸Ｕが収納されている側を容易に知ることが可能となる。
【００２２】
さらに、本発明に係る収納部を備えた固形石鹸１００は、小さくなった固形石鹸Ｕを完全に内部に収納するため、収納部２に外部から水分等が侵入することがなく、ユーザーは、固形石鹸１００を常に衛生的に使用することが可能である。
【００２３】
（実施の形態２）
図６は、本発明の実施の形態２に係る固形石鹸２００の側面図である。本発明に係る収納部を備えた固形石鹸２００は、実施の形態１に係る固形石鹸１００に対し、収納部２０２の構成が異なるが、その他の構成要素については共通するため、同様の構成要素には同様の番号を付し説明を省略する。
【００２４】
収納部２０２は、前記構成部材１１および前記構成部材１２が接する面上であり、且つ、前記構成部材１２側に凹部として設けられる。当該構成とすることで、収納部２０２の中心の位置が、前記本体１の重心より外側方向へ偏心することとなり、又は、収納部２０２の中心の位置が、前記本体１の中心より外側方向へずれることとなるため、実施の形態１に係る固形石鹸１００と同様の効果を奏する。なお、前記収納部２０２は、前記構成部材１１側に設けられても構わない。前記収納部２０２が、前記構成部材１１又は構成部材１２のどちらか片側のみに備えられることにより、本発明に係る収納部を備えた固形石鹸２００の生産コストを削減することができる。
【符号の説明】
【００２５】
１      本体
２      収納部
３      位置固定凸部
４      位置固定凹部
１００  固形石鹸
Ｕ      使用され小さくなった固形石鹸          
【図１】
2020189904.tif 000003
【図２】
2020189904.tif 000004
【図３】
2020189904.tif 000005
【図４】
2020189904.tif 000006
【図５】
2020189904.tif 000007
【図６】
2020189904.tif 000008